(57)【要約】【課題】山の陰や，建造物の陰のように到来電波の弱い地域において，特定の信号を受信するためのテレビ受信用増幅装置４を設置しているテレビ受信システム１０３において，当該テレビ受信用増幅装置４に，従来のアナログ放送波の信号だけでなく，地上波デジタル放送信号のように，同一方向から電界強度の大きな信号が入力されることによって，前記テレビ受信用増幅装置４の入力レベルが高くなり，受信画面に妨害が発生する。【解決手段】入力端子３ａと出力端子３ｂとを有し，前記入力端子３ａと出力端子３ｂとの間には，特定の信号を通過させるフィルタ３１を備えた第１の伝送経路３０ａと，前記フィルタ３１を通過しない信号を通過させる第２の伝送経路３０ｂ，とが並列接続されると共に，前記第２の伝送経路３０ｂには，レベル調整する手段３２を備えたフィルタ装置３。及び，当該フィルタ３を用いたテレビ受信システム１０３。【選択図】  図１
2004236131.tif 000002
【特許請求の範囲】
【請求項１】
入力端子と出力端子とを有し，前記入力端子と出力端子との間には，特定の信号を通過させるフィルタを備えた第１の伝送経路と，
前記フィルタを通過しない信号を通過させる第２の伝送経路とが並列接続されると共に，
前記第２の伝送経路には，レベル調整する手段を備えたことを特徴としたフィルタ装置。
【請求項２】
テレビアンテナと，テレビ受信用増幅装置とから成るテレビ受信システムにおいて，当該テレビアンテナと当該テレビ受信用増幅装置とを，前記フィルタ装置を介して接続したことを特徴としたテレビ受信システム。
【請求項３】
前記第１の伝送経路には，ＵＨＦ帯のｃｈ１９を通過させると共に，前記第２の伝送経路にはＵＨＦ帯のｃｈ１３〜１７及びｃｈ２４以上を通過させるように構成したことを特徴とした請求項１に記載のフィルタ装置。
【請求項４】
前記第１の伝送経路には，ＵＨＦ帯のｃｈ１９を通過させると共に，前記第２の伝送経路にはＵＨＦ帯のｃｈ１３〜１７及びｃｈ２４以上を通過させるように構成したフィルタ装置を用いたことを特徴とした請求項２に記載のテレビ受信システム。
【発明の詳細な説明】
【０００１】
【発明の属する技術分野】
本発明は，主にテレビ受信システムに利用されるフィルタに関し，詳しくはそのフィルタ装置及び当該フィルタ装置を用いたテレビ受信システムに関する。
【０００２】
【従来の技術】
従来において，例えば特定の信号であるＵＨＦ帯の５０６〜５１２ＭＨｚの信号と，５６０ＭＨｚ以上の，近接する通過周波数帯域を受信するような場合，５０６〜５１２ＭＨｚの信号を通過帯域とする通過帯域フィルタ（以下ＢＰＦと表示する）と，５６０ＭＨｚ以上の信号を通過帯域とする高域フィルタ（以下ＨＰＦと表示する）によって混合するフィルタ装置がある。（例えば特許文献１参照）
【０００３】
【特許文献１】
実公昭６３−１４５７号公報
【０００４】
【発明が解決しようとする課題】
ところが近年において，従来のアナログ放送の特定の信号を受信している地域において，送信アンテナをアナログ放送の送信塔と同一方向若しくは同一送信塔とする，地上波デジタル放送が始まり，アナログ放送と地上波デジタル放送のサイマル放送が行われるようになる。これによって特定の信号であるアナログ放送と，当該特定の信号に近接する周波数帯域を利用した地上波デジタル放送との信号が同一方向から到来することになり，受信チャンネル数が増えることになる。
更に，従来の地域放送を超えた広範囲のサービスエリアを対象とするために，地上波デジタル放送の信号を送信する送信塔が，地域放送を目的とする従来のアナログ放送の信号を送信する送信塔より高くなることもあり，前記特定の信号であるアナログ放送を受信していた地域においては，地上波デジタル放送の電界強度は，従来のアナログ放送の信号に比べて強くなる。また，将来的には，アナログ放送は終了する事になっている。
【０００５】
このような信号を伝送するにあたって，従来のフィルタ装置によると，特定の信号の周波数帯は低損失で通過させ，特定の信号以外の周波数帯も低損失で通過させて，合成するフィルタ装置が提供されているが，例えば特定の信号以外の周波数帯のレベルを調整して通過させるよう必要が生じた場合であっても，レベル調整ができなかった。
【０００６】
また，アナログ放送の特定の信号を受信するシステムであって，例えば山の陰や建造物の陰のように，到来電波の弱い地域において，前記特定の信号を受信するためのテレビ受信用増幅装置を設置しているテレビ受信システムでは，当該テレビ受信用増幅装置には，従来のアナログ放送波の信号だけでなく，電界強度の大きな地上波デジタル放送の信号が新たに入力されることによって，前記従来のようなフィルタ装置を備えたテレビ受信システムでは，前記テレビ受信用増幅装置の入力レベルが高くなることで，当該テレビ受信用増幅装置で増幅される信号が歪み，受信画面に妨害が発生すると言った問題の発生が考えられる。
この対策として，例えばアナログ放送の特定の信号のみを通過するバンドパスフィルタからなるフィルタ装置を接続して対策する方法も考えられるが，アナログ放送から地上波デジタル放送に変更したい場合や，アナログ放送が終了した時点において，改めてフィルタの変更工事をしないと，地上波デジタル放送が見ることができないといった問題があった。
そこで本発明においては，こうした問題点を解決するためになされたものであり，
その目的は，特定の信号の周波数帯は低損失で通過させ，特定の信号以外の周波数帯はレベル調整可能に通過させるフィルタ装置を提供することにある。
他の目的は，同一方向から到来する信号の周波数帯であって，特定の信号の周波数帯は低損失で通過させ，特定の信号以外の周波数帯はレベル調整可能に通過させるフィルタ装置を提供することにある。
他の目的は，アンテナ装置とテレビ受信用増幅装置とを接続する伝送線に挿設可能なフィルタ装置を提供することに有る。
他の目的は，アンテナ装置とテレビ受信用増幅装置とを接続する伝送線にフィルタ装置を挿設したテレビ受信システムを提供することに有る。
【０００７】
【課題を解決するための手段】
上記課題を解決するために，請求項１の発明は，入力端子と出力端子とを有し，前記入力端子と出力端子との間には，特定の信号を通過させるフィルタを備えた第１の伝送経路と，
前記フィルタを通過しない信号を通過させる第２の伝送経路とが並列接続されると共に，
前記第２の伝送経路には，レベル調整する手段を備えるよう構成される。
【０００８】
請求項２の発明は，テレビアンテナと，テレビ受信用増幅装置とから成るテレビ受信システムにおいて，当該テレビアンテナと当該テレビ受信用増幅装置とを，前記フィルタ装置を介して接続するよう構成される。
【０００９】
請求項３の発明は，前記第１の伝送経路には，ＵＨＦ帯のｃｈ１９を通過させると共に，前記第２の伝送経路にはＵＨＦ帯のｃｈ１３〜１７及びｃｈ２４以上を通過させるように構成した。
【００１０】
請求項４の発明は，前記第１の伝送経路には，ＵＨＦ帯のｃｈ１９を通過させると共に，前記第２の伝送経路にはＵＨＦ帯のｃｈ１３〜１７及びｃｈ２４以上を通過させるように構成したフィルタ装置を，テレビアンテナとテレビ受信用増幅装置との間に接続するよう構成される。
【発明の実施の形態】
以下に，本発明を具体化した実施形態の例を，図面を基に詳細に説明する。図１（Ａ），（Ｂ）は，本発明に示すフィルタ装置の実施例を示すブロック図，図２はフィルタ装置の具体的，図３は構成例本発明に係るフィルタ装置の周波数特性，図４は本発明のフィルタ装置を用いたテレビ受信システムを示している。
【００１１】
図１（Ａ）において，３は本発明の実施例のフィルタ装置であり，３ａは入力端子，３ｂは出力端子である。３０ａは特定の信号を通過帯域とするバンドパスフィルタ３１から構成される第１の伝送経路である。
３２はレベル調整手段である。３３は前記特定の信号以外の信号を通過するよう構成されたフィルタであり，例えばバンドイルミネーションフィルタ（ＢＥＰ）で構成されており，レベル調整手段３２とフィルタ３３とで第２の伝送経路３０ｂを構成している。
【００１２】
次に，このフィルタ装置の動作について図１及び図２に基づいて具体的に説明する。特定の信号として例えば信号レベルの低いＵＨＦ帯のｃｈ１９と，特定の信号以外の信号として例えば信号レベルの強いＵＨＦ帯のｃｈ１３〜１７及びｃｈ２４以上とが，入力端子３ａに入力される。（以下  ＵＨＦ帯は省略する）
ｃｈ１９は，このチャンネルを通過帯域とするＢＰＦ３１で構成された第１の伝送経路３０ａを通過する。
【００１３】
次に第２の伝送経路３０ｂの説明をする。レベル調整手段３２は，例えば切換手段であるスイッチ３２ａ，３２ｂと，５ｄＢアッテネータ３２ｃと１０ｄＢアッテネータ３２ｄとでもって構成されており，前記スイッチ３２ａ，３２ｂの切換えによって，例えば０ｄＢ，５ｄＢ，１０ｄＢ，１５ｄＢと選択的に切換可能に構成されており，このレベル調整手段３２を通過した信号は，フィルタ３３に入力される。
このフィルタ３３は例えばＢＥＦで構成されており，前記特定の信号を阻止すると共に，当該信号以外の信号であるｃｈ１３〜１７及びｃｈ２４以上を通過するフィルタである。
【００１４】
こうして，第１の伝送経路３０ａを通過したｃｈ１９と，選択的にレベル調整が可能な第２の伝送経路３０ｂを通過したｃｈ１３〜ｃｈ１７及びｃｈ２４以上の信号は，お互いに合成されて，出力端子３ｂに出力される。
これによって，例えばレベルの低い特定の信号であるｃｈ１９と，レベルが高い特定の信号以外の信号であるｃｈ１３〜ｃｈ１７及びｃｈ２４以上の信号とを伝送する場合など，必要に応じてｃｈ１３〜ｃｈ１７及びｃｈ２４以上の信号を，前記レベル調整手段によって，特定の信号のレベル（この場合ｃｈ１９）にレベルを揃えたり，特定の信号のレベルより下げたり，容易に調整して伝送可能なフィルタ装置が提供できるのである。
尚，前記レベル調整手段は固定アッテネータをスイッチの切換えによって選択的に調整可能な例を示したが，ボリューム等を用いて連続的に可変できる方法で構成しても良いし，固定アッテネータによって予め最適な状態のレベルになるよう減衰させておく方法でも良い。
【００１５】
図３に，上記実施例のフィルタ装置３の周波数特性を示す。この図において，１１は第１の伝送経路３０ａの周波数特性を示し，１２は第２の伝送経路３０ｂの周波数特性を示している。
【００１６】
図１（Ｂ）に示す本発明の第２の実施形態は，前記レベル調整手段３２をフィルタ３３の前段に，レベル調整手段３４をフィルタ３３の後段に備えさせた構成のものであり，その他の構成については，図１（Ａ）に示す実施例と同様の構成要素については同一符号を付与し，詳細な説明は省略する。
【００１７】
次に上記フィルタ装置を備えたテレビ受信システム図１０３について図４を用いて説明する。この図４において，１０１は従来からあるアナログ放送用のＵＨＦ帯の送信塔，１０２は新しく設置された地上波デジタル放送用のＵＨＦ帯の送信塔である。１はＶＨＦアンテナであり伝送線２ａを介して，テレビ受信用増幅装置４のＶＨＦ入力端子１ａに入力されている。６はＵＨＦアンテナであり，伝送線２ｂ，本発明のフィルタ装置３を介して，テレビ受信用増幅装置４のＵＨＦ入力端子６ａに入力されている。
【００１８】
前記テレビ受信用増幅装置４に入力されたそれぞれの信号は適宜増幅された後，混合されてから出力される。出力された信号は伝送線２ｃ，分配器５，伝送線２ｄ，テレビ端子７ａ，伝送線２ｅ，電源装置８を介してテレビ受像機９に接続されている。
【００１９】
次に，このテレビ受信システム１０３について具体的に説明する。送信塔１０１はアナログ放送用の送信塔であり，ＵＨＦ帯を利用した地域放送を行っている。本発明のテレビ受信システムは，このアナログ放送のサービスエリアから少し離れた地域や，山や建築物等の陰となる地域のように受信電界強度の弱い地域で，前記アナログ放送を受信するためのシステムである。
アナログ放送の送信塔１０１からは，例えばＵＨＦ帯のｃｈ１９が送信されている。この信号を受信するために，上述に示すような本来のサービスエリアではない地域や，山陰等の弱電界地域においては，テレビ受信用増幅装置を設置して，目的とするアナログ放送を受信している。電波はＵＨＦ受信用アンテナ６で受信された後に，伝送線２ｂを介してテレビ受信用増幅装置４のＵＨＦ入力端子６ａから当該増幅装置に入力され適宜増幅されてからテレビ受像機９に接続されている。
【００２０】
ところが，図１の１０２に示すように，同一方向若しくは同一送信塔から，アナログ放送の周波数帯と近接した周波数帯を使用した地上波デジタル放送のような放送波が新しく送信されるようになった場合，前記アナログ放送の信号に加えて，地上波デジタル放送の信号分のチャンネル数が増える。更に地上波デジタル放送の特長である広範囲な地域へのサービスを可能にするため，地上波デジタル放送の送信塔１０２は，アナログ放送の送信塔１０１の高さより高く設置されることもあり，受信点における地上波デジタル放送の信号レベルは，アナログ放送に比べてより強いものとなる。
【００２１】
このようなアナログ放送の信号と地上波デジタル放送の信号は，ＵＨＦテレビアンテナ６によって受信され，伝送線２ｂを介してフィルタ装置３の入力端子３ａに入力される。
入力された信号のうち，特定の信号であるアナログ放送の信号（本発明の実施例では例えばｃｈ１９）は，第１の伝送経路３０ａのＢＰＦ３１を通過する。
また，前記特定の信号以外の信号である地上波デジタル放送の信号（本発明の実施例では例えばｃｈ１３〜１７及びｃｈ２４）は，第２の伝送経路３０ｂのレベル調整手段３２でレベル調整された後に，ＢＥＦ３３を通過する。
なお，本発明の実施例においては，特定の信号であるアナログ放送のｃｈ１９を受信するために，第２の伝送経路では，地上波デジタル放送の信号で，前記特定の信号に妨害を与える隣接チャンネルのｃｈ１８は通過しないよう構成されている。
そして，第１の信号経路３０ａと第２の信号経路３０ｂを通過した信号は合成されて，出力端子３ｂから出力される。出力された信号は，テレビ受信用増幅装置４のＵＨＦ入力端子６ａから該増幅装置に入力される。この時，後から追加された信号，例えば地上波デジタル放送の信号の入力レベルによって，前記テレビ受信用増幅装置４が入力オーバーとなり，受信画像に妨害が出る場合が考えられる。
【００２２】
実験的に求められた数値で言えば，アナログ放送の信号に対して，地上波デジタル放送の信号の方が＋１０ｄＢ程度高い場合は，テレビ受信用増幅装置４に備えられた利得調整回路（図示されていない）の調整によって，歪みの無い受信が可能であるが，地上波デジタル放送の信号が＋１０ｄＢ以上高い場合は，適正レベルにレベル調整しないと（テレビ受信用増幅装置４での対応を含め），受信画像に妨害が発生する。
本発明のフィルタ装置３を備えたテレビ受信システム１０３によれば，特定の信号であるアナログ放送のｃｈ１９を通過させる第１の信号経路３０ａと，特定の信号以外の信号である地上波デジタル放送のｃｈ１３〜１７及びｃｈ２４を選択的にレベル調整できる第２の信号経路３０ｂとを並列に接続して，信号を合成・伝送できるように構成したので，上述のように地上波デジタル放送の信号が高すぎる場合，レベル調整手段３２によってアッテネータ量を適宜選択し信号線に配設することで，テレビ受信用増幅装置４の入力オーバーを防止できるのである。
【００２３】
更に，上述のような新しく地上波デジタル放送が始まることで，当該地上波デジタル放送による妨害が出た地域において，アナログ放送であるｃｈ１９を見るために，ｃｈ１９専用バンドパスフィルタによる対策をする場合と比較して，本発明のフィルタ装置３を用いれば，いつでも地上波デジタル放送の受信（アナログ放送の隣接チャンネルを除く。本発明の例ではｃｈ１８。）に変更が出来る汎用性を備えることが出来るのである。
尚，本発明において，第１の伝送経路３０ａは，特定の信号であるＵＨＦ帯を通過帯域とし，第２の伝送経路３０ｂは，特定の信号以外の信号であるＵＨＦ帯を通過帯域として示し，それぞれの代表例として，特定の信号をアナログ放送のｃｈ１９，特定の信号以外の信号を地上波デジタル放送のｃｈ１３〜ｃｈ１７及びｃｈ２４信号としたが，これらに限定されるものではなく，利用する周波数帯域や，信号の内容等については適宜最適なものに変更してもよいことは言うまでも無い。
【００２４】
【発明の効果】
以上詳述したように，請求項１，３の発明によれば，入力端子と出力端子とを有し，前記入力端子と出力端子との間には，特定の信号を通過させるフィルタを備えた第１の伝送経路と，前記フィルタを通過しない信号を通過させる第２の伝送経路とが並列接続されると共に，前記第２の伝送経路には，レベル調整する手段を備えたので，特定の信号の周波数帯は低損失で通過させ，特定の信号以外の周波数帯はレベル調整手段によって適宜レベル調整して通過させることができるので，特定の信号に対して，特定の信号以外の信号レベルを揃えたり下げたり，相対的に可変できるフィルタ装置を提供できる。
【００２５】
請求項２，４の発明によれば，テレビアンテナと，テレビ受信用増幅装置とから成るテレビ受信システムにおいて，当該テレビアンテナと当該テレビ受信用増幅装置とを，前記フィルタ装置を介して接続したので，特定の信号であるアナログ放送を受信するシステムであって，山の陰や，建造物の陰などのように到来電波の弱い地域において，前記特定の信号を受信するためのテレビ受信用増幅装置を設置しているテレビ受信システムでは，当該システムを設置している地域において，新たな放送である例えば地上波デジタル放送のような放送が開始され，当該放送の信号が従来のアナログ放送と近接した周波数帯を用い，前記アナログ放送の電波と同一方向から到来し，加えてアナログ放送よりレベルが高い信号を受信する必要が生じた場合であっても，従来のアナログ放送波の信号は通過損失を出来るだけ少なく，更に，電界強度が大きく，波数も多い地上波デジタル放送の信号は，前記レベル調整手段によってテレビ受信用増幅装置への最大入力レベル以下になるよう調整され入力されることによって，前記テレビ受信用増幅装置の入力レベルが最適化されることで，当該テレビ受信用増幅装置で増幅される信号が歪み，受信画面に妨害が発生する問題をなくすることが出来る。
【図面の簡単な説明】
【図１】（Ａ），（Ｂ）は，本発明に示すフィルタ装置の実施例を示すブロック図である。
【図２】本発明に係るフィルタ装置の周波数特性の例である。
【図３】フィルタ装置の具体的構成例である。
【図４】本発明のフィルタ装置を用いたテレビ受信システムである。
【符号の説明】
１…ＶＨＦテレビアンテナ，１ａ…ＶＨＦ入力端子，２ａ，２ｂ，２ｃ，２ｄ，２ｅ…伝送線，３…フィルタ装置，３ａ…入力端子，３ｂ…出力端子，４…テレビ受信用増幅装置，５…分配器，６…ＵＨＦテレビアンテナ，６ａ…ＵＨＦ入力端子，７ａ，７ｂ，７ｃ，７ｄ…テレビ端子，８…電源装置，９…テレビ受像機，１１…第１の伝送線路の周波数特性，１２…第２の伝送経路の周波数特性，３０ａ…第１の伝送線路，３０ｂ…第２の伝送線路，３１…バンドパスフィルタ（ＢＰＦ），３２，３４…レベル調整手段，３２ａ，３２ｂ…切換手段，３２ｃ，３２ｄ…アッテネータ，３３…バンドエルミネーションフィルタ（ＢＥＦ），１０１…アナログ放送送信塔，１０２…地上波デジタル放送送信塔，１０３…テレビ受信システム。
【図１】
2004236131.tif 000003
【図２】
2004236131.tif 000004
【図３】
2004236131.tif 000005
【図４】
2004236131.tif 000006